(57)【要約】【課題】複数の利用者によるディスプレイの視認性を高めつつ、画面内の操作性を高めることが可能なテーブル装置を提供する。【解決手段】このテーブル装置１は、一方向に離間して配置された第一脚部３及び第二脚部４と、前記第一脚部３及び前記第二脚部４に支持された天板２と、前記天板２に設けられ、情報を表示可能な表示面５ａを前記天板２の上面に沿って有する第一ディスプレイ５と、前記天板２の前記一方向の第一端側で、前記天板２の上方に設けられ、前記一方向の第一端と反対側の第二端側にむけて情報を表示可能な表示面６ａを有する第二ディスプレイ６と、を備え、前記第一ディスプレイ５の前記表示面５ａの前記一方向の中心位置は、前記天板２の前記一方向の中心位置よりも、前記第一脚部３及び前記第二脚部４の互いに対向する面同士の距離の中心位置側に寄っている。【選択図】図１
2015085032.tif 000002
【特許請求の範囲】
【請求項１】
一方向に離間して配置された第一脚部及び第二脚部と、
前記第一脚部及び前記第二脚部に支持された天板と、
前記天板に設けられ、情報を表示可能な表示面を前記天板の上面に沿って有する第一ディスプレイと、
前記天板の前記一方向の第一端側で、前記天板の上方に設けられ、前記一方向の第一端と反対側の第二端側に向けて情報を表示可能な表示面を有する第二ディスプレイと、を備え、
前記第一ディスプレイの前記表示面の前記一方向の中心位置は、前記天板の前記一方向の中心位置よりも、前記第一脚部及び前記第二脚部の互いに対向する面同士の離間距離の中心位置側に寄っている
テーブル装置。
【請求項２】
請求項１に記載のテーブル装置であって、
前記第一脚部は、前記天板の前記第一端側を支持し、物品を収納可能な収納部である
テーブル装置。
【請求項３】
請求項１または２に記載のテーブル装置であって、
前記天板の前記第一端には、前記天板の上面から下面までを貫通する第一切り欠き部が形成されている
テーブル装置。
【請求項４】
請求項３に記載のテーブル装置であって、
前記第一切り欠き部を挿通して、前記テーブル装置に固定され、前記第二ディスプレイを保持するディスプレイ保持部をさらに備える
テーブル装置。
【請求項５】
請求項１から４のいずれか一項に記載のテーブル装置であって、
前記天板を支持する天板フレームと、
前記天板フレームに取り付けられたモニタフレームと、
前記モニタフレームに螺合された複数のモニタ高さ調節ネジと、を備え、
前記第一ディスプレイは、前記複数のモニタ高さ調節ネジに支持され、
前記第一ディスプレイの前記表示面は、前記複数のモニタ高さ調節ネジによって、その傾斜及び高さを調節される
テーブル装置。
【請求項６】
請求項１から５のいずれか一項に記載のテーブル装置であって、
前記第一脚部には、前記第二脚部に対向する面の上部に第二切り欠き部が形成されている
テーブル装置。
【請求項７】
請求項３に記載のテーブル装置であって、
前記第一切り欠き部を前記第一端側から塞ぐカバーをさらに備える
テーブル装置。
【発明の詳細な説明】
【技術分野】
【０００１】
本発明は、複数の利用者で使用できるテーブル装置に関する。
【背景技術】
【０００２】
テーブルや机の上面に物を載せる、作業をする等の役割とともに、天板面の一部にタッチパネル機能を有するディスプレイが埋め込まれているテーブル装置が知られている（特許文献１及び特許文献２参照）。このようなテーブル装置は、主に天板面のディスプレイを使用してコンテンツを確認し合う構成となっている。
【先行技術文献】
【特許文献】
【０００３】
【特許文献１】特開２０１２−１３８０３０号
【特許文献２】特開２００２−６３３７３号
【発明の概要】
【発明が解決しようとする課題】
【０００４】
しかしながら、特許文献１及び特許文献２に記載のテーブル装置では、ディスプレイを操作する人のみならず、ディスプレイを見るだけの人も含め、全利用者がディスプレイを上から覗き込む必要がある。
【０００５】
本発明は、上記課題に鑑みてなされたものであって、複数の利用者によるディスプレイの視認性を高めつつ、ディスプレイ画面内の操作性を高めることが可能なテーブル装置を提供することを目的とする。
【課題を解決するための手段】
【０００６】
本発明の第一の態様によれば、テーブル装置は、一方向に離間して配置された第一脚部及び第二脚部と、前記第一脚部及び前記第二脚部に支持された天板と、前記天板に設けられ、情報を表示可能な表示面を前記天板の上面に沿って有する第一ディスプレイと、前記天板の前記一方向の第一端側で、前記天板の上方に設けられ、前記一方向の第一端と反対側の第二端側に向けて情報を表示可能な表示面を有する第二ディスプレイと、を備える。前記第一ディスプレイの前記表示面の前記一方向の中心位置は、前記天板の前記一方向の中心位置よりも、前記第一脚部及び前記第二脚部の互いに対向する面同士の離間距離の中心位置側に寄っている。
【０００７】
このようなテーブル装置では、天板に設けられた第一ディスプレイを使用しつつ、天板の第一端側に設けられた第二ディスプレイを用いることができる。このため、利用者全員が天板の上面に沿って配された第一ディスプレイの表示面を覗き込むことなく、天板の第一端側で第二端側を向く第二ディスプレイの表示面に表示された内容を確認できる。一方、天板の上面に沿って配された第一ディスプレイにより、利用者は間近で第一ディスプレイの表示面を見て操作することができる。このとき、第一ディスプレイの表示面の中心位置が、天板面の中心位置よりも利用者が利用しやすい位置に寄っているため、どの利用者も同じ条件で第一ディスプレイの表示面を見て操作できる。
【０００８】
本発明の第二の態様によれば、前記第一脚部は、前記天板の前記第一端側を支持し、物品を収納可能な収納部であっても良い。
【０００９】
この構成によれば、第一脚部は収納部であるため、ディスプレイを操作するコンピュータやキーボード、ケーブル等を収納することができる。このとき、収納スペースを確保するために、第一脚部の寸法が大きくなっても、第一ディスプレイの表示面の中心位置が、天板面の中心位置よりも利用者が利用しやすい位置に寄っているため、利用者全員が同じ条件で第一ディスプレイの表示面を見て操作できる。
【００１０】
本発明の第三の態様によれば、前記天板の前記第一端には、前記天板の上面から下面までを貫通する第一切り欠き部が形成されても良い。
【００１１】
この構成によれば、第一切り欠き部は、天板の第一端の上方に設けられた第二ディスプレイからのケーブルを通すことができる。これにより、ケーブルが露出してしまうことなく、第一切り欠き部に収容することができる。
【００１２】
本発明の第四の態様によれば、前記第三の態様に係わる前記テーブル装置は、前記第一切り欠き部を挿通して、前記テーブル装置に固定され、前記第二ディスプレイを保持するディスプレイ保持部をさらに有しても良い。
【００１３】
この構成によれば、第一切り欠き部を挿通して、第二ディスプレイを立設することができる。第一切り欠き部から第二ディスプレイを保持することで、第二ディスプレイからのケーブルを第一脚部へ挿通させることができる。このため、スペースをとることなく意匠性の高いテーブル装置を提供できる。
【００１４】
本発明の第五の態様によれば、前記天板を支持する天板フレームと、前記天板フレームに取り付けられたモニタフレームと、前記モニタフレームに螺合された複数のモニタ高さ調節ネジと、を有しても良い。前記第一ディスプレイは、前記複数のモニタ高さ調節ネジに支持される。前記第一ディスプレイの前記表示面は、前記複数のモニタ高さ調節ネジによって、その傾斜及び高さを調節される。
【００１５】
この構成によれば、第一ディスプレイの高さ調整にモニタ高さ調整ネジを使用することで、第一ディスプレイの傾斜や高さを調整することができる。
【００１６】
本発明の第六の態様によれば、前記テーブル装置は、前記第一脚部には、前記第二脚部に対向する面の上部に第二切り欠き部が形成されても良い。
【００１７】
この構成によれば、第一脚部における第二脚部に対向する面の上部に、第二切り欠き部を形成していることで、第一脚部の中に収容されたコンピュータ等機器からの放熱を行うことができる。また、第一ディスプレイからのケーブルを、第二切り欠き部から第一脚部へ入れる事ができ、意匠性の高いテーブル装置を提供できる。
【００１８】
本発明の第七の態様によれば、前記第三の態様に係わる前記テーブル装置は、前記第一切り欠き部を前記第一端側から塞ぐカバーを有しても良い。
【００１９】
この構成によれば、カバーを装着することで、第二ディスプレイからのケーブル等の露出を避け、意匠性の高いテーブル装置を提供できる。
【発明の効果】
【００２０】
上述したテーブル装置によれば、複数の利用者によるディスプレイの視認性を高めつつ、画面内の操作性を高めることが可能なテーブル装置を提供できる。
【図面の簡単な説明】
【００２１】
【図１】本発明の実施形態に係わるテーブル装置を示す概略構成斜視図である。
【図２】本発明の実施形態に係わるテーブル装置を示す概略上面図である。
【図３】本発明の実施形態に係わるテーブル装置を示す部分断面図である。
【図４】本発明の実施形態に係わる第一脚部を示す概略斜視図である。
【図５】本発明の実施形態に係わる第一脚部の内部を示す概略斜視図である。
【図６】本発明の実施形態に係わる天板の天板フレームを示す概略上面図である。
【図７】本発明の実施形態に係わる天板を示す図６のＶＩＩ−ＶＩＩ断面図である。
【図８】本発明の実施形態に係わるモニタカバーを示す図であり、（ａ）は平面図、（ｂ）は側面図である。
【図９】本発明の実施形態に係わるディスプレイ保持部を示す概略平面図である。
【図１０】本発明の実施形態に係わる天板とディスプレイ保持部を接続する接続部位を示す拡大図である。
【図１１】本発明の実施形態に係わるディスプレイ保持部の下端部を示す部分拡大斜視図である。
【図１２】本発明の実施形態に係わる配線カバーの一例を示す図であり、（ａ）はディスプレイ保持部がある場合の平面図、（ｂ）はディスプレイ保持部がない場合の平面図である。
【発明を実施するための形態】
【００２２】
以下、図面を参照し、本発明の実施形態に係るテーブル装置１について説明する。
図１は、本発明の実施形態に係わるテーブル装置１を示す概略構成斜視図である。図２は、本発明の実施形態に係わるテーブル装置１を示す概略上面図である。図３は、本発明の実施形態に係わるテーブル装置１を示す部分断面図である。
【００２３】
図１〜３に示すように、テーブル装置１は、一方向に離間して配置された第一脚部３及び第二脚部４と、第一脚部３及び第二脚部４に支持された天板２と、天板２に設けられ、情報を表示可能な表示面５ａを天板２の上面２ｃに沿って有する第一ディスプレイ５と、天板２の前記一方向の第一端側で、前記天板２の上方に設けられ、前記一方向の第一端２ｂと反対側の第二端２ｄに向けて情報を表示可能な表示面６ａを有する第二ディスプレイ６と、を備えている。
【００２４】
天板２は、本実施形態では第一方向Ｘに沿う辺を長辺とする略矩形状の板であり、天板２上には、第一ディスプレイ５を配置するための開口部２ａが形成されている。天板２の一方向の第一端２ｂには、前記第一端側に開放され、天板２の上面２ｃから下面までを貫通する第一切り欠き部７が形成されている。なお、天板２の一方向に沿う辺が長辺となっているが、天板２の一方向に沿う辺を短辺としても良い。
【００２５】
第一脚部３は、天板２の第一方向Ｘに沿う辺の第一端側を支持している。第一脚部３は、箱型に形成され、図３に示す通り、後述する収納部３ａを有している。
【００２６】
第二脚部４は、天板２の一方向において第一端２ｂと反対側の第二端２ｄを支持している。本実施形態では、第二脚部４は、天板２の第二端側の二つの角部にそれぞれ配置された一対の脚体４ａにより構成されているが、第二端側の天板２を支える一つの部材であっても良い。
【００２７】
第一ディスプレイ５は、天板２の上面２ｃに沿って第一ディスプレイ５の表示面５ａが配置されるよう、天板２に埋設されている。本実施形態では、表示面５ａは、天板２の上面２ｃとほぼ同一平面上となるように配置されている。第一ディスプレイ５の表示面５ａには、コンピュータ２１やタブレットの情報を表示することが可能である。本実施形態では、第一ディスプレイ５の表示面５ａは、タッチパネル機能を有しており、画面上に表示されたペイントやパワーポイント、写真等のコンテンツを操作することができる。本実施形態では、第一ディスプレイ５は、第一ディスプレイ５の表示面５ａで操作可能なタッチパネルディスプレイを採用しているが、視認用に使用されるディスプレイであっても良い。また、キーボード２２や操作ユニットを利用して第一ディスプレイ５の表示面５ａに表示されたコンテンツを操作可能としても良い。
【００２８】
第二ディスプレイ６は、視認用ディスプレイであり、例えば、その表示面６ａには第一ディスプレイ５と同じ情報を表示する。第二ディスプレイ６は、例えば、液晶ディスプレイ（ＬＣＤ）やプラズマディスプレイ（ＰＤＰ）が採用される。なお、第二ディスプレイ６の表示面６ａには、第一ディスプレイ５の表示面５ａと異なる情報を表示しても良い。
【００２９】
図２及び図３に示すように、本実施形態では、第一ディスプレイ５の表示面５ａの一方向の中心位置Ｃ１は、天板２の一方向の中心位置Ｃ２よりも、第一脚部３及び第二脚部４の互いに対向する面同士の離間距離Ｄの中心位置Ｃ３側に寄って配置されている。つまり、第一のディスプレイ５が配置される天板の開口部２ａは、前記開口部２ａに第一のディスプレイ５が配置されることで、表示面５ａの一方向の中心位置Ｃ１は、天板２の第一方向Ｘに沿う辺の中心位置Ｃ２よりも、第一脚部３及び第二脚部４の互いに対向する面同士の距離Ｄの中心位置Ｃ３側に寄って配置されているような位置で天板２に形成されている。
【００３０】
ここで、図３に示す通り、第一ディスプレイ５の表示面５ａの中心位置Ｃ１が、第一脚部３及び第二脚部４の互いに対向する面同士の離間距離Ｄの中心位置Ｃ３と一致していることがより好ましい。
【００３１】
このように構成されたテーブル装置１では、天板２の上面２ｃに設けられた第一ディスプレイ５を使用しつつ、天板２の第一方向Ｘに沿う辺の第一端２ｂに立設した第二ディスプレイ６を用いることができる。このため、利用者全員が第一ディスプレイ５の表示面５ａを覗き込むことなく、第二ディスプレイ６の表示面６ａに表示された内容を確認できる。また、天板２の上面２ｃに設けられた第一ディスプレイ５により、利用者は間近で第一ディスプレイ５の表示面５ａを見て操作することができる。このとき、天板２の第一方向Ｘに沿う辺において、第一ディスプレイ５の表示面５ａの中心位置Ｃ１が、天板２面の中心位置Ｃ２よりも利用者が利用しやすい位置に寄っているため、どの利用者も同じ条件で第一ディスプレイ５の表示面５ａを見て操作できる。
【００３２】
さらに、天板２の第一端２ｂに第一切り欠き部７が形成されることで、天板２の第一端２ｂの上方に設けられた第二ディスプレイ６からのケーブルを、第一切り欠き部７を経由し第一脚部３へ通すことができる。これにより、ケーブルの露出を避けることができる。
【００３３】
次に、本発明の実施形態に係る第一脚部３について説明する。
図４は、本発明の実施形態に係わる第一脚部３を示す概略斜視図である。図５は、本発明の実施形態に係わる第一脚部３の内部を示す概略斜視図である。
【００３４】
図３に示す通り、第一脚部３は、天板２の第一端側を支持し、物品を収納可能な収納部３ａを有する。図４に示す通り、第一脚部３において、第一方向Ｘと交差する第二方向Ｙを向く側面には、物品を取り出す扉３ｂが形成されている。なお、第一脚部３の扉３ｂは、第一方向Ｘを向く第一端側の外面または第二端側の内面に形成されても良い。
【００３５】
本実施形態では、収納部３ａには二段の棚３ｃ、３ｄが設けられている。図３及び図５に示す通り、収納部３ａの上段の棚３ｃは、コンピュータ２１が配置されている。棚３ｃには、コンピュータ２１からの熱を逃がすための切り欠き３ｅが形成されている。収納部３ａの下段の棚３ｄは、第一脚部３の底部により構成されており、コンピュータ２１を操作するキーボード２２が配置されている。棚３ｄには、キーボード２２等電子機器からの熱を逃がすための切り欠き３ｆが形成されている。キーボード２２は、テーブル装置１を使用する時、扉３ｂを介して収納部３ａから取り出されて使用される。なお、第一脚部３の底部にコンセント（不図示）を設け、このコンセントからコンピュータ２１や第一ディスプレイ５、第二ディスプレイ６に電源を供給しても良い。
【００３６】
このように構成されたテーブル装置１では、第一脚部３は収納部３ａであるため、ディスプレイを操作するコンピュータ２１やキーボード２２、ケーブル等を収納することができる。このとき、収納スペースを確保するために、第一脚部３の寸法が大きくなっても、第一ディスプレイ５の表示面５ａの中心位置Ｃ１が、天板２面の中心位置Ｃ２よりも利用者が利用しやすい位置に寄っているため、利用者全員が同じ条件で第一ディスプレイ５の表示面５ａを見て操作できる。
【００３７】
図３〜５に示す通り、第一脚部３には、第二脚部４に対向する面の上部に第二切り欠き部１４が形成されている。第二切り欠き部１４は、図３に示す通り、後述するモニタカバー１８の一部が入り込めるように、形成されている。つまり、第二切り欠き部１４を経由して、第一脚部３とモニタカバー１８は連通して構成されている。
【００３８】
このように構成されたテーブル装置１では、第一脚部３における第二脚部４に対向する面の上部に、第二切り欠き部１４を形成していることで、第一脚部３に収容されたコンピュータ２１等の機器からの放熱を行うことができる。第二切り欠き部１４がモニタカバー１８と接続していることで、第一ディスプレイ５からのケーブルを第二切り欠き部１４から第一脚部３の内部へ挿通させる事ができる。
【００３９】
次に、本発明の実施形態に係る天板２の詳細について説明する。
図６は、本発明の実施形態に係わる天板２の天板フレーム１１を示す概略上面図である。図７は、本発明の実施形態に係わる天板２を示す図６のＶＩＩ−ＶＩＩ断面図である。
【００４０】
図６に示す通り、天板２を支持する天板フレーム１１は、第一天板フレーム１１ａ及び第二天板フレーム１１ｂで構成されている。第一天板フレーム１１ａは、第一方向Ｘに延びる一対のフレームで構成されている。第二天板フレーム１１ｂは、第一方向Ｘと交差する第二方向Ｙに延びる一対のフレームで構成されている。
【００４１】
一対の第一天板フレーム１１ａは、第一ディスプレイ５の第一方向Ｘに沿う辺と平行に、且つ、第一ディスプレイ５の両側にそれぞれ配置されている。一対の第二天板フレーム１１ｂは、天板２の第一端側及び第二端側のそれぞれに配置されている。
【００４２】
天板２の第一端側に配置される第二天板フレーム１１ｂは、天板２の第一切り欠き部７の第二方向Ｘに沿う辺と平行に、且つ、第一切り欠き部７の傍に配置されている。さらに、図３に示す通り、天板２の第一端側に配置される第二天板フレーム１１ｂは、第一脚部３内に配置され、第一脚部３の壁面と接続して天板２を支えている。
【００４３】
天板２の第二端側に配置される第二天板フレーム１１ｂは、第二脚部４に接続され、天板２を支えている。
【００４４】
上述したような第一天板フレーム１１ａと第二天板フレーム１１ｂは、互いに直交して接続されている。つまり、一対の第一天板フレーム１１ａ及び一対の第二天板フレーム１１ｂは、上面から見た場合、略四角形のフレームを構成している。
【００４５】
図６に示す通り、一対の第一天板フレーム１１ａの間には、互いに離間した一対のモニタフレーム１２が配置されている。一対のモニタフレーム１２は互いに平行に、且つ、一対の第一天板フレーム１１ａと直交して配置されている。このとき、一対のモニタフレーム１２は、上面から見た場合、一対のモニタフレーム１２同士の距離の中心位置が、第一ディスプレイ５の表示面５ａの中心位置Ｃ１となるよう設定されている。
【００４６】
図７に示す通り、モニタフレーム１２は、接続部材２０を介して第一天板フレーム１１ａと接続している。接続部材２０は、天板接続部２０ａと、連結部２０ｂと、モニタフレーム接続部２０ｃで構成されている。天板接続部２０ａは、天板２と第一天板フレーム１１ａの間に挿入されている。モニタフレーム接続部２０ｃは、モニタフレーム１２を支えている。モニタフレーム接続部２０ｃに支えられたモニタフレーム１２は、後述するモニタカバー１８と共に下方からネジによって固定されている。このように構成することで、モニタフレーム１２は、接続部材２０によって、第一天板フレーム１１ａに吊り下げられている。
【００４７】
図６及び７に示す通り、モニタフレーム１２には、複数のモニタ高さ調節ネジ１３が備えられている。図６に示す通り、本実施形態では、四つのモニタ高さ調節ネジ１３が備えられ、モニタフレーム１２にそれぞれ二つずつ、上方から螺合されている。
【００４８】
このように構成されたテーブル装置１では、第一ディスプレイ５の高さ調整にモニタ高さ調節ネジ１３を使用することで、第一ディスプレイ５の傾斜や高さを調整することができる。
【００４９】
次に、本発明の実施形態に係るモニタカバー１８について説明する。
図８は、本発明の実施形態に係わるモニタカバー１８を示す図であり、（ａ）は平面図、（ｂ）は側面図である。
【００５０】
図８（ａ）に示す通り、モニタカバー１８は、モニタカバー本体部１８ａと、モニタカバー本体部１８ａの一端に設けられ天板２と接続する取付け部１８ｃを備えている。モニタカバー本体部１８ａは、矩形状のカバーであり、モニタフレーム１２を覆うように構成されている。また、図３に示す通り、モニタカバー１８の取付け部１８ｃは、第一脚部３の内部に入り込んで天板２に固定されている。つまり、モニタカバー１８は、第一ディスプレイ５を配置するモニタフレーム１２から第一脚部３の第二切り欠き部１４までを連通するように構成されている。
【００５１】
図８（ａ）に示す通り、モニタカバー本体部１８ａは、第一ディスプレイ５からの熱を放出する放熱部１８ｂと、モニタフレーム１２にモニタカバー１８を固定させるネジ穴１８ｄが形成されている。図８（ｂ）に示す通り、放熱部１８ｂは、モニタカバー本体部１８ａの側面に備えられていても良い。本実施形態では、放熱部１８ｂはパンチングメタルを採用しているが、第一ディスプレイ５から放出される熱を放出できる構成であれば良い。
【００５２】
このように構成されたテーブル装置１では、第一ディスプレイ５から第二切り欠き部１４までの間をモニタカバー１８によって覆っているため、第一ディスプレイ５からのケーブルの露出を避け、意匠性の高いテーブル装置１を提供できる。また、モニタカバー１８に放熱部１８ｂを設ける事で、第一ディスプレイ５からの熱を放出することができる。
【００５３】
次に、本発明の実施形態に係るディスプレイ保持部８について説明する。
図９は、本発明の実施形態に係わるディスプレイ保持部８を示す概略平面図である。図１０は、本発明の実施形態に係わる天板２とディスプレイ保持部８を接続する接続部位を示す拡大図である。図１１は、本発明の実施形態に係わるディスプレイ保持部８の下端部を示す概略構成斜視図である。
【００５４】
図９及び図１１に示す通り、ディスプレイ保持部８は、主フレーム８ａと、天板保持フレーム８ｂと、ディスプレイ保持フレーム８ｃと、連結フレーム８ｄで構成されている。図１０及び図１１に示す通り、一対の主フレーム８ａの間には、天板保持フレーム８ｂと、二つの連結フレーム８ｄが配置されている。また、一対の主フレーム８ａの間には、主フレーム８ａの長手部と平行に、四つのディスプレイ保持フレーム８ｃが配置されている。ディスプレイ保持部８の各フレームは、それぞれ溶接等を用いて接続している。ディスプレイ保持フレーム８ｃには、複数のディスプレイ保持用孔８ｈが形成され、第二ディスプレイ６を装着可能に構成している。ディスプレイ保持フレーム８ｃのディスプレイ保持用孔８ｈは、第二ディスプレイ６のサイズに合わせて、適切な箇所に固定できるよう、使用するディスプレイ保持用孔８ｈを適宜選択する。
【００５５】
次に、ディスプレイ保持部８と天板２の接続構造を説明する。図３に示す通り、ディスプレイ保持部８は、天板２に形成された第一切り欠き部７を挿通して、テーブル装置１に固定されている。図１０に示す通り、ディスプレイ保持部８の主フレーム８ａは、天板２に突き当てられ、第二天板フレーム１１ｂから貫通するネジ１１ｃによって固定されている。さらに、ディスプレイ保持部８の天板保持フレーム８ｂの上片８ｅと下片８ｆとの間に天板２の第一端２ｂが配されている。また、下片８ｆには、ねじ孔８ｇが形成されており、前記ねじ孔８ｇには固定ネジ９が螺合されている。固定ネジ９は、下片８ｆの下方に配される頭部９ａと、頭部９ａから突出してねじ孔８ｇに螺合され、先端が下片８ｆと上片８ｅとの間に突出する軸部９ｂとを有する。これにより、頭部９ａを天板保持フレーム８ｃの下側から操作することにより、軸部９ｂの下片８ｆと上片８ｅとの間での突出量を操作することができる。そして、天板２の第一端２ｂは、固定ネジ９の軸部９ｂの先端と上片８ｅとの間に挟み込まれている。このため、固定ネジ９の頭部９ａを操作することにより、天板２を挟み込んだ状態から、軸部９ｂの先端を離間させて天板２から天板保持フレーム８ｃを取り外すことも可能となっている。
【００５６】
このように構成されたテーブル装置１では、第一切り欠き部７を挿通して、第二ディスプレイ６を保持することができる。
【００５７】
ディスプレイ保持部８に第二ディスプレイ６を取り付けた後、図３に示す通り、ディスプレイ保持部８を覆うバックパネル１０が取付けられる。
【００５８】
このように構成されたテーブル装置１では、第一切り欠き部７から第二ディスプレイ６を立設することで、第二ディスプレイ６からのケーブルを第一脚部３へ挿通させることができる。また、スペースをとることなく、第二ディスプレイ６からのケーブルの露出を避けた意匠性の高いテーブル装置１を提供できる。
【００５９】
次に、本発明の実施形態に係る配線カバー１５について説明する。図１２は、本発明の実施形態に係わる配線カバー１５の一例を示す図であり、（ａ）はディスプレイ保持部８がある場合の平面図、（ｂ）はディスプレイ保持部８がない場合の平面図である。
【００６０】
図１２（ａ）に示す通り、配線カバー１５は、ディスプレイ保持部８を配置するための第三切り欠き部１６Ａが形成されている。この配線カバー１５は、図６に示す通り、天板２の第一切り欠き部７に装着可能なサイズに設定されている。
【００６１】
一方、ディスプレイ保持部８が無い場合であっても配線カバー１５は、図１２（ｂ）に示す通り、第三切り欠き部１６Ｂが形成されている。ここでは、ディスプレイ保持部８が無いため、第三切り欠き部１６Ｂにブラシ１７が備えられている。なお、図１２（ｂ）の第三切り欠き部１６Ｂの幅は、図１２（ａ）の第三切り欠き部１６Ａの幅よりも小さく設定されている。
【００６２】
このように構成されたテーブル装置１では、天板２の第一切り欠き部７に配線カバー１５を装着することで、第二ディスプレイ６が備えられている場合では、第二ディスプレイ６からのケーブルの露出を避け、意匠性の高いテーブルを提供できる。また、第二ディスプレイ６が備えられていない場合には、天板２の第一切り欠き部７を塞ぐことで、第一脚部３の内部を見えなくし、意匠性の高いテーブルを提供できる。
【００６３】
以上、本発明によるテーブル装置の実施の形態について説明したが、本発明は上記の実施形態に限定されるものではなく、その趣旨を逸脱しない範囲で適宜変更可能である。
本発明の趣旨を逸脱しない範囲で、上記した実施形態における構成要素を周知の構成要素に置き換えることは適宜可能であり、また、上記した実施形態を適宜組み合わせても良い。
【符号の説明】
【００６４】
１…テーブル装置
２…天板
２ａ…開口部
２ｂ…第一端
２ｃ…上面
２ｄ…第二端
３…第一脚部
３ａ…収納部
３ｂ…扉
３ｃ…棚（上段）
３ｄ…棚（下段）
３ｅ…切り欠き
３ｆ…切り欠き
４…第二脚部
４ａ…脚体
５…第一ディスプレイ
５ａ…第一ディスプレイ表示面
６…第二ディスプレイ
６ａ…第二ディスプレイ表示面
７…第一切り欠き部
８…ディスプレイ保持部
８ａ…主フレーム
８ｂ…天板保持フレーム
８ｃ…ディスプレイ保持フレーム
８ｄ…連結フレーム
８ｅ…上片
８ｆ…下片
８ｇ…ねじ孔
８ｈ…ディスプレイ保持用孔
９…固定ネジ
１０…バックパネル
１１…天板フレーム
１１ａ…第一天板フレーム
１１ｂ…第二天板フレーム
１１ｃ…ネジ
１２…モニタフレーム
１３…モニタ高さ調節ネジ
１４…第二切り欠き部
１５…配線カバー
１６Ａ…第三切り欠き部
１６Ｂ…第三切り欠き部
１７…ブラシ
１８…モニタカバー
１８ａ…モニタカバー本体部
１８ｂ…放熱部
１８ｃ…取付け部
１８ｄ…ネジ穴
２０…接続部材
２０ａ…天板接続部
２０ｂ…連結部
２０ｃ…モニタフレーム接続部
２１…コンピュータ
２２…キーボード
Ｃ１…第一ディスプレイ表示面の中心位置
Ｃ２…天板の中心位置
Ｃ３…第一脚部及び第二脚部の互いに対向する面同士の距離の中心位置（離間距離の中心位置）
【図１】
2015085032.tif 000003
【図２】
2015085032.tif 000004
【図３】
2015085032.tif 000005
【図４】
2015085032.tif 000006
【図５】
2015085032.tif 000007
【図６】
2015085032.tif 000008
【図７】
2015085032.tif 000009
【図８】
2015085032.tif 000010
【図９】
2015085032.tif 000011
【図１０】
2015085032.tif 000012
【図１１】
2015085032.tif 000013
【図１２】
2015085032.tif 000014